(57)【要約】【課題】ピストンの復帰動作を司るスプリングと内容物の接触を防止する。【解決手段】内容物の送給経路を有するボディと、このボディの送給経路につながる開孔を有する噴射ノズルと、レバーの牽曳とその牽曳の解除動作を繰り返して内容物を吸引、加圧して圧送するポンプを備えたトリガー式噴出器において、前記ポンプを、ボディの送給経路に通じる開孔を有する小径筒部及びこの小径筒部と同心でかつ直列に配置した大径筒部からなる二段筒型シリンダーと、このシリンダーの小径筒部内にて往復移動可能なピストンと、このピストンをその後端部で固定保持しレバーの牽曳に従って該ピストンを小径筒部の奥底に押し込むスライダーと、一端をスライダーの前面に係合させ他端を大径筒部と小径筒部とをつなぐ段差にて係合させて小径筒部の奥底に押し込まれたピストンをその弾性力にて初期位置に復帰させるスプリングとにて構成する。【選択図】　　　　図１
2004105919.tif 000002
【特許請求の範囲】
【請求項１】
内容物の送給経路を有するボディと、このボディの送給経路につながる開孔を有する噴射ノズルと、レバーの牽曳とその牽曳の解除動作を繰り返して内容物を吸引、加圧して圧送するポンプを備えたトリガー式噴出器であって、
前記ポンプが、ボディの送給経路に通じる開孔を有する小径筒部及びこの小径筒部と同心でかつ直列に配置した大径筒部からなる二段筒型シリンダーと、このシリンダーの小径筒部内にて往復移動可能なピストンと、このピストンをその後端部で固定保持しレバーの牽曳にしたがって該ピストンを小径筒部の奥底に押し込むスライダーと、一端をスライダーの前面に係合させ他端を大径筒部と小径筒部とをつなぐ段差にて係合させて小径筒部の奥底に押し込まれたピストンをその弾性力にて初期位置に復帰させるスプリングからなることを特徴とするトリガー式噴出器。
【請求項２】
スプリングは、スライダー及びピストンの基部をその内側に納め、段差に係合させた他端からもう一端に向けて漸次に径を小さくした先細り形状になる請求項１記載のトリガー噴出器。
【請求項３】
スライダーは、大径筒部の内壁に沿って摺動するカバー部材を有する請求項１又は２記載のトリガー噴出器。
【発明の詳細な説明】
【０００１】
【発明の属する技術分野】
本発明は、黴び取り剤や洗剤、整髪剤、芳香剤等を入れた容器に用いられ内容物を霧状あるいは泡状にして排出することを可能とするトリガー式噴出器に関するものであり、該噴出器に組み込まれたポンプのピストンを初期位置に復帰させるスプリングにつき、それを内容物から確実に遮断して該スプリングが本体もつ機能を有効に発揮させようとするものである。
【０００２】
【従来の技術】
トリガー式の噴出器は噴射ノズルを装着したボディに、内容物の吸引、加圧、圧送を司るポンプ機構が組み込まれており、レバーの牽曳にて該ポンプ機構のピストンをシリンダー内で往復動させることによって内容物の効率的な排出を可能にしている。
【０００３】
上記ポンプ機構にはレバーの牽曳後にピストンを初期位置に復帰させるために、金属製のスプリングも使用されており、かかる部材は、その一端がシリンダーの内筒部に係合するように、もう一端がピストンの背面に形成された凹部の奥底に係合するように内装されている（例えば、特許文献１参照）。
【０００４】
【特許文献１】
実公平４−４６８４４号公報。
【０００５】
ところで、上記のような従来構造になる噴出器では以下に述べるような不具合が残されており、その解決が求められている。
【０００６】
すなわち、従来のポンプ機構は、ピストンに設けられた内外二重の摺動部にてシリンダーとの間をシールしているが、シリンダーやピストンの成形精度が低い場合や組み立て精度に不具合がある場合にピストンの摺動部から内容物が漏れ出てしまいスプリングを配置した内部空間へと内容物が流れ込んでしまうおそれがある。
【０００７】
また、ピストンを作動させるレバーはボディの外側に配置した凸部を支点にして揺動させるものであり、その押圧点は実際には円弧を描きながらピストンの後端を押することになるので、レバーの牽曳時にはピストンがシリンダー内で傾くような力が作用し、これがピストンの摺動部を変形させたり偏摩耗を引き起こす原因にもなっており、摺動部の変形や偏摩耗が生じた場合にもやはりスプリングを配置した内部空間へと内容物が流れ込んでしまうおそれがある。
【０００８】
【発明が解決しようとする課題】
本発明の課題は、上述したような従来の不具合を解消できる新規なトリガー式噴出器を提案するところにある。
【０００９】
【課題を解決するための手段】
本発明は、内容物の送給経路を有するボディと、このボディの送給経路につながる開孔を有する噴射ノズルと、レバーの牽曳とその牽曳の解除動作を繰り返して内容物を吸引、加圧して圧送するポンプを備えたトリガー式噴出器であって、
前記ポンプが、ボディの送給経路に通じる開孔を有する小径筒部及びこの小径筒部と同心でかつ直列に配置した大径筒部からなる二段筒型シリンダーと、このシリンダーの小径筒部内にて往復移動可能なピストンと、このピストンをその後端部で固定保持しレバーの牽曳にしたがって該ピストンを小径筒部の奥底に押し込むスライダーと、一端をスライダーの前面に係合させ他端を大径筒部と小径筒部とをつなぐ段差にて係合させて小径筒部の奥底に押し込まれたピストンをその弾性力にて初期位置に復帰させるスプリングからなることを特徴とするトリガー式噴出器である。
【００１０】
上記の構成になる噴出器においてスプリングは、スライダー及びピストンの基部をその内側に納め、段差に係合させた他端からもう一端に向けて漸次に径を小さくした先細り形状になるのが望ましい。
【００１１】
また、スライダーは、大径筒部の内壁に沿って摺動するカバー部材を設けることができる。
【００１２】
【発明の実施の形態】
以下、図面を参照して本発明をより具体的に説明する。
【００１３】
図１は本発明に従うトリガー式噴出器の実施の形態をその側面について示した図であり、図２は図１の正面を示した図である。
【００１４】
図１、２において１はボディである。ボディ１は内容物を圧送する送給経路１ａが設けられており、その送給経路の内部には弁体２が配置されている。
【００１５】
また、３はボディ１に設けられたスピンエレメント１ｂを介してつながる噴射ノズルである。噴射ノズル３はボディ１の送給経路１ａにつながる開孔ｈを有するノズルチップ３ａとそのノズルチップ３ａを内装する泡生成部材３ｂからなっている。
【００１６】
また、４はボディ１に枢支ピンＰを介して揺動可能に保持されたレバー、５はボディ１に配置され容器内の内容物を吸引、加圧して圧送するポンプである。
【００１７】
ポンプ５はボディ１の送給経路１ａにつながる開孔ｈ１を有する小径筒部５ａ及びこの小径筒部５ａと同心でかつ直列に配置した大径筒部５ｂからなる二段筒型シリンダーと、このシリンダーの小径筒部５ａ内にて往復移動可能なピストン５ｃと、このピストン５ｃをその後端部で固定保持しレバー４の牽曳によってピストン５ｃを小径筒部５ａの奥底に押し込むスライダー５ｄと、一端をスライダー５ｄの前面に係合させ他端を大径筒部５ｂと小径筒部５ａをつなぐ段差ｄにて係合（段状間欠リブｒを設けてこのリブｒを介して段差ｄに係合させてもよい）させて小径筒部５ａの奥底に押し込まれたピストン５ｃをその弾性力にて初期位置に復帰させるスプリング５ｅからなっていて、このうち、スプリング５ｅはスライダー５ｄとピストン５ｃの基部を内側に納めるべく、段差ｄに係合させた他端からスライダー５ｄの前面に位置するもう一端に向けて漸次に径が小さくなる先細り形状になっている。
【００１８】
また、６はスライダー５ｄに一体的に設けられ大径筒部５ｂの内壁に沿って摺動するカバー部材、７は容器内の内容物を吸引する吸引管、そして８は噴出器を容器の口部に固定保持するベースキャップである。
【００１９】
上記の構成になる噴出器は、スプリング５ｅがピストン５ｃの後方のそれも外側に位置し、しかも、該スプリング５ｅの一端は段状間欠リブｒを介して段差ｄに係合することになるので、小径筒部５ａ、大径筒部５ｂ、段差ｄから離反した状態におかれるため、該ピストン５ｃの摺動部から内容物が漏れだすようなことがあってもスプリング５ｅが常時内容物に触れることはなく、該スプリング５ｅが本体もつ機能を損なうことがない。
【００２０】
レバー４を牽曳してピストン５ｃを小径筒部５ａの奥底に押込んだ状態でレバー４の牽曳にかかる力を取り除くと、スプリング５ｅの弾性力にてピストン５ｃはレバー４とともに初期位置に復帰することとなり、この時、シリンダーの小径筒部５ａ内は負圧になるので吸引管７及び開孔ｈ１を通してこの小径筒部５ａ内に容器内の内容物が吸引される。
【００２１】
この状態で再度、レバー４を牽曳すると小径筒部５ａ内の内容物は加圧され、所定の圧力に達したならば開孔ｈ１、送給経路１ａを通して図中矢印の如く圧送されていく。
【００２２】
上記の如きレバー４の牽曳とその牽曳の解除動作を複数回にわたって繰り返すことで容器内の内容物は噴射ノズル３を通して連続的に噴出させることが可能であって、スプリング５ｅについては容器内の内容物を使いきるまでその機能が衰えることはない。
【００２３】
上掲図１に示したところにおいて、スプリング５ｅは段差ｄに係合させた他端からスライダー５ｄの前面に位置するもう一端に向けて漸次に径が小さくなる先細り形状になるものを例として示したが、レバー４の牽曳に支障がなければストレート（径がその全長にわたって同じもの）のスプリングを使用することもでき、この点に関しては限定されない。
【００２４】
【発明の効果】
本発明によれば、ポンプの構成部材であるスプリングをピストンの外側に配置するようにしたので、該ピストンの摺動部から内容物が漏れだすようなことがあってもそれがピストンに常時接触することはなくスプリングの機能低下を確実に防止できる。
【図面の簡単な説明】
【図１】本発明に従うトリガー式噴出器の実施の形態を示した図である。
【図２】図１に示した噴出器の正面を示した図である。
【符号の説明】
１　ボディ
１ａ　送給経路
１ｂ　スピンエレメント
２　弁体
３　噴射ノズル
３ａ　ノズルチップ
３ｂ　泡生成部材
４　レバー
５　ポンプ
５ａ　小径筒部
５ｂ　大径筒部
５ｃ　ピストン
５ｄ　スライダー
５ｅ　スプリング
６　カバー部材
７　吸引管
８　ベースキャップ
ｄ　段差
【図１】
2004105919.tif 000003
【図２】
2004105919.tif 000004